(57)【要約】 【課題】  グレースケールと有機発光ダイオード（ＯＬＥＤ）の明度を改善するＯＬＥＤ画素回路を有し、電流ドライバを用いてＯＬＥＤに電流を駆動する方法を提供する。【解決手段】  第一コンデンサを有するデータライン負荷回路、前記データライン負荷回路と接続した第一リセット回路、前記データライン負荷回路に接続したダイオード、前記ダイオードの寄生コンデンサと接続した第二リセット回路を含み、前記第一リセット回路は、前記第一コンデンサをリセットするものであり、前記第二リセット回路は、前記ダイオードの寄生コンデンサをリセットするものであり、前記ダイオードは、前記第一コンデンサと前記ダイオードの寄生コンデンサのリセット後に定電流によって駆動されるディスプレイ画素回路を提供する。【選択図】      図１  
2005092200.tif 000002
【特許請求の範囲】
【請求項１】
第一コンデンサを有するデータライン負荷回路と、
前記データライン負荷回路と接続した第一リセット回路と、
前記データライン負荷回路に接続したダイオードと、
前記ダイオードの寄生コンデンサと接続した第二リセット回路とを含み、
前記第一リセット回路は、前記第一コンデンサをリセットするものであり、
前記第二リセット回路は、前記ダイオードの寄生コンデンサをリセットするものであり、
前記ダイオードは、前記第一コンデンサと前記ダイオードの寄生コンデンサとがリセットされた後に、定電流によって駆動されることを特徴とするディスプレイ画素回路。
【請求項２】
前記ダイオードに接続した複数のトランジスタ、および前記ダイオードに接続した第二コンデンサを更に含む請求項１に記載のディスプレイ画素回路。
【請求項３】
前記第二コンデンサは、前記データライン負荷回路からの入力電流によって決められた相対電圧を保存する蓄積コンデンサである請求項２に記載のディスプレイ画素回路。
【請求項４】
前記ダイオードは、有機発光ダイオードを含む請求項１に記載のディスプレイ画素回路。
【請求項５】
前記第一リセット回路は、データライン負荷回路に接続した第一リセットトランジスタを含む請求項１に記載のディスプレイ画素回路。
【請求項６】
前記第一リセットトランジスタは、前記第一コンデンサの電圧を既定の電圧に初期化するものである請求項５に記載のディスプレイ画素回路。
【請求項７】
前記第二リセット回路は、スキャンラインに接続したリセットトランジスタを含み、前記リセットトランジスタは、前記ダイオードの寄生コンデンサの電圧を既定の電圧に初期化するものである請求項１に記載のディスプレイ画素回路。
【請求項８】
データライン負荷回路の第一コンデンサをリセットするステップ、
ダイオードの寄生コンデンサをリセットするステップ、および
前記第一コンデンサと前記ダイオードの寄生コンデンサとがリセットされた時、定電流で前記ダイオードを駆動するステップ、
を含むことを特徴とするディスプレイ画素回路の駆動方法。
【請求項９】
前記第一コンデンサをリセットするステップは、
データライン負荷回路のデータ信号ラインを選ぶステップ、
リセット回路を作動させるステップ、および
前記第一コンデンサの電圧を既定電圧に初期化するステップを含む請求項８に記載の駆動方法。
【請求項１０】
前記ダイオードの寄生コンデンサをリセットするステップは、
スキャンラインを選ぶステップ、
リセット回路を作動させるステップ、および
前記ダイオードの寄生コンデンサの電圧を既定電圧に初期化するステップを含む請求項８に記載の駆動方法。
【請求項１１】
前記ダイオードを駆動するステップは、
データをロードするデータラインを選ぶステップ、
前記第一コンデンサをリセットした後に、前記ダイオードに接続した複数のトランジスタを作動させるステップ、
前記ダイオードに接続した第二コンデンサに第一電圧を保存するステップ、
前記複数のトランジスタの作動を停止させるステップ、および
前記ダイオードの寄生コンデンサをリセットした後に、前記第一電圧に応じて前記ダイオードの寄生コンデンサを充電するステップを含む請求項８に記載の駆動方法。
【発明の詳細な説明】
【技術分野】
【０００１】
本発明は、画素回路の中に配置された有機発光ダイオード（ＯＬＥＤ）を含む１つ、またはそれ以上の画素回路を有する有機発光ダイオードディスプレイパネルの改善と、有機発光ディスプレイパネルを駆動する方法の改善に関し、特に、改善したグレースケールを有する有機発光ディスプレイパネルに対して改善した画素回路と、グレースケールを改善するための画素回路に最適な駆動方法とを提供するものである。
【背景技術】
【０００２】
陰極線管（ＣＲＴ）は、長い間、テレビの影像を表示するディスプレイ装置として用いられている。陰極線管のディスプレイは、電子銃が負極性電荷粒子（電子）のビームを大きなガラス管の中に発射し、電子がリン光体原子をガラス管の幅広い端に沿って励起させ、リン光体原子を発光させたものである。ビデオ画像は、異なる強度で、異なる色でコーティングしたリン光体の異なるエリアの点灯によって作り出されたものである。陰極線管は、長い間、ビデオ画像を表示するのに用いられてきたが、その体積は大きく、重い。言い換えれば、陰極線管ディスプレイの画面の広さを増加するためには、画像の全部に届くスキャン電子銃空間を与えるために、ガラス管の長さも増加させなければならない。したがって、大きい画像を有する陰極線管は、重く、かなり大きいスペースを占める。
【０００３】
液晶ディスプレイ（ＬＣＤ）装置は、画像を表示するもう１つのディスプレイ装置である。従来の液晶ディスプレイ装置は、内蔵のバックライトがＬＣＤディスプレイの側、または後ろのどちらかに配置されている。この付加の内蔵バックライトがＬＣＤディスプレイ装置を厚く重くさせている。
【０００４】
よって、従来の有機発光ダイオード（ＯＬＥＤ）のディスプレイパネルが陰極線管とＬＣＤディスプレイ装置のいくつかの欠点を克服するのに導入された。特に、従来の有機発光ダイオードディスプレイ装置は、１つ、またはそれ以上の有機発光ダイオードを含み、それは、内蔵のバックライトを有する必要なく、自発的に光を放射することができる。更に、従来の有機発光ダイオード装置は、陰極線管および／またはＬＣＤディスプレイ装置と同じか、またはより優れた画像品質とパフォーマンスを備えた大きくて薄いディスプレイ画面を提供する。
【０００５】
従来の有機発光ダイオードディスプレイパネルは、電圧信号によって電源トランジスタのゲート電圧を直接調整する電圧ドライバを用いている。しかし、この電圧駆動方法は、有機発光ダイオードの明度および／またはグレースケール面で問題となる場合がある（特許文献１参照）。
【特許文献１】米国特許第６０２３２５９号公報。
【発明の開示】
【発明が解決しようとする課題】
【０００６】
よって、グレースケールと有機発光ダイオードの明度を改善する有機発光ダイオード画素回路を有することが必要となる。更に、電流ドライバを用いて有機発光ダイオードに電流を駆動する方法を提供することも必要となる。
【課題を解決するための手段】
【０００７】
上記の課題を解決するため、本発明の１つの例は、第一コンデンサを有するデータライン負荷回路、前記データライン負荷回路と接続した第一リセット回路、前記データライン負荷回路に接続したダイオード、前記ダイオードの寄生コンデンサと接続した第二リセット回路を含み、前記第一リセット回路は、前記第一コンデンサをリセットするのに組み込まれ、前記第二リセット回路は、前記ダイオードの寄生コンデンサをリセットするのに組み込まれ、且つ、前記ダイオードは、前記第一コンデンサと前記ダイオードの寄生コンデンサのリセット後に定電流によって駆動されるディスプレイ画素回路を提供する。
【０００８】
本発明のもう１つの例は、ディスプレイ画素回路を駆動する方法を提供する。その方法は、データライン負荷回路の第一コンデンサをリセットするステップ、ダイオードの寄生コンデンサをリセットするステップ、および前記第一コンデンサと前記ダイオードの寄生コンデンサがリセットされた時、定電流で前記ダイオードを駆動するステップを含む。
【発明の効果】
【０００９】
本発明のディスプレイ画素回路とその駆動方法によれば、グレースケールと有機発光ダイオードの明度を改善することができる。
【発明を実施するための最良の形態】
【００１０】
本発明についての目的、特徴、長所が一層明確に理解されるよう、以下に実施形態を例示し、図面を参照にしながら、詳細に説明する。
【実施例】
【００１１】
本実施例では、電流ドライバを用いて有機発光ダイオードディスプレイ装置のグレースケールを改善する有機発光ダイオード（ＯＬＥＤ）画素回路と、電流駆動方法を用いて有機発光ダイオードを駆動する方法に関する。図１は、本発明に基づいた有機発光ダイオードディスプレイパネルの画素回路１０の一例の詳細配置を示している。特に、図１は、リセット回路１１とリセット回路１２を有する有機発光ダイオードの電流駆動方法を用いた画素回路１０を示している。
【００１２】
図１の画素回路１０は、データ信号ラインＤＬ、制御信号ＳＲ、およびスキャンラインＳｃａｎ１とＳｃａｎ２、電源ＶＤＤとＶＳＳを有する。更に、画素回路１０は、トランジスタＴｒ１、Ｔｒ２、Ｔｒ３、Ｔｒ４、Ｔｒ５とＴｒ６を含み、画素回路１０の中で既定の構造で配置される。トランジスタＴｒ１、Ｔｒ２、Ｔｒ３、Ｔｒ４、Ｔｒ５とＴｒ６は、薄膜トランジスタ（ＴＦＴ）であることができる。画素回路１０はコンデンサＣ１、Ｃ２とＣ３、レジスタＲと有機発光ダイオードＤをも含む。
【００１３】
図１の配置に基づくと、トランジスタのゲート電極Ｔｒ１は、制御信号ＳＲに接続され、トランジスタＴｒ１のドレイン電極は、データ信号ラインＤＬに接続される。この配置が本発明の第一リセット回路１１である。
【００１４】
同様に、図１の配置は、データライン負荷回路を示し、Ｒで示されたデータ信号ラインＤＬの寄生抵抗を含む。レジスタＲは、例えば、１ｋΩの既定抵抗値を有し、Ｃ１で示されるデータ信号ラインＤＬの寄生コンデンサとトランジスタＴｒ２のドレイン電極とに接続される。コンデンサＣ１は、例えば、５ピコファラッドの既定容量を有する。
【００１５】
図１は、更に、スキャンラインＳｃａｎ２に接続したトランジスタＴｒ２のゲート電極、トランジスタＴｒ３のゲート電極とトランジスタＴｒ４のゲート電極をも示す。トランジスタＴｒ３は、ソース電極が電源ＶＤＤに接続され、一方、ドレイン電極がトランジスタＴｒ４のドレイン電極、Ｔｒ２のソース電極およびＴｒ５のドレイン電極に接続される。トランジスタＴｒ２は、スイッチングトランジスタであり、且つ、ｎチャネルトランジスタまたはｐチャネルトランジスタであることができる。
【００１６】
図１は、トランジスタＴｒ５、トランジスタＴｒ６、有機発光ダイオードＤ、寄生コンデンサＣ２と蓄積コンデンサＣ３をも示している。有機発光ダイオードＤはアノードとカソードとを備えている。トランジスタＴｒ５のゲート電極は、蓄積コンデンサＣ３とトランジスタＴｒ４のソース電極に接続される。更に、トランジスタＴｒ５のソース電極は、有機発光ダイオードＤのアノードと寄生コンデンサＣ２に接続される。有機発光ダイオードＤのカソードは、電源ＶＳＳに接続される。トランジスタＴｒ６は、ゲート電極がスキャンラインＳｃａｎ１に接続され、一方、ドレイン電極が有機発光ダイオードＤに接続される。この配置が本発明の第二リセット回路１２である。
【００１７】
図２は、本発明に基づいた有機発光ダイオードディスプレイパネルの画素回路１０の書き込み期間と表示期間の発生を示すタイミング図を示している。操作では、第一リセット回路１１は、データ信号ラインＤＬのローディング前にオンにされる。言い換えれば、データ信号ラインＤＬが選ばれ、データ信号が取り込まれる前、Ｔｒ１は、制御信号ＳＲによってオンにされ、リセット回路１１のリセット機能を有効にする。一旦トランジスタＴｒ１がオンすると、データライン負荷回路の寄生コンデンサＣ１の電圧は、ゼロにリセットされる。そして、データが選ばれる前、寄生コンデンサＣ１の電圧はゼロに初期化される。一旦リセット回路１１が寄生コンデンサＣ１の電圧をリセットすると、データ信号ラインＤＬの信号は、データ取り込みに選ばれ、正確な電圧は、寄生コンデンサＣ１に書き込まれることができ、このメカニズムは、特に、低電流レベル（ブラックフレーム）でのデータ信号ラインＤＬのデータの正確性を効果的に改善する。
【００１８】
Ｓｃａｎ２が蓄積期間（ｓｔｏｒａｇｅ  ｐｅｒｉｏｄ）に選ばれた時、Ｔｒ２はオンで、Ｔｒ３はオフである。この期間の間、データ信号ラインＤＬからの入力電流は、Ｔｒ５と有機発光ダイオードＤを通り、Ｔｒ５のゲート電圧は、蓄積コンデンサＣ３にレコードされる。言い換えれば、Ｔｒ５のゲート電圧は、ダイオードを通った入力電圧の量によって決められる。Ｓｃａｎ２が再生期間に選ばれなかった時、Ｔｒ２はオフで、Ｔｒ３はオンである。この期間の間、データ信号ラインＤＬからの入力電流は、断ち切られ、Ｔｒ５を通った電流は、先に書き込まれた蓄積コンデンサＣ３の電圧に依って決められる。よって、同量の電流が、蓄積期間にＴｒ３、Ｔｒ５と有機発光ダイオードＤに流れる。
【００１９】
スキャンラインＳＣＡＮ１が選ばれた時、トランジスタＴｒ６は、オンになり、本発明の第二リセット回路１２が動作する。一旦、トランジスタＴｒ６がオンになると、寄生コンデンサＣ２の残留の蓄積電圧は除去される。そうであるとして、電流が有機発光ダイオードＤへ供給される前に、寄生コンデンサＣ２の電圧は、ゼロに初期化される。第二リセットメカニズムは、特に、高電流レベル（ホワイトフレーム）から低電流レベル（ブラックフレーム）になる時の有機発光ダイオードの精度を改善することができる。
【００２０】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００２１】
【図１】本発明における有機発光ダイオードディスプレイパネルの画素回路の配置図。
【図２】本発明における有機発光ダイオードディスプレイパネルの画素回路の書き込み期間と表示期間の発生を示すタイミング図。
【符号の説明】
【００２２】
１０  画素回路
１１、１２  リセット回路
Ｃ１〜Ｃ３  コンデンサ
Ｄ  有機発光ダイオード
ＤＬ  データ信号ライン
Ｒ  レジスタ
ＳＲ、ＳＲｍ−１  制御信号
ＳＣＡＮ１、ＳＣＡＮ２  スキャンライン
Ｔｒ１〜Ｔｒ６  トランジスタ
ＶＤＤ、ＶＳＳ  電源
【図１】
2005092200.tif 000003
【図２】
2005092200.tif 000004